(57)【要約】【課題】デジタル放送信号送出装置において、符号化部における符号発生量と多重処理部における符号発生量との誤差により、多重処理部の動作を停止することなく、多重処理部で管理される符号発生量を符号化部で管理される符号量に近付けることを可能にする。【解決手段】多重制御部１５において、ＥＳ符号化部１２で生成されるＥＳの符号発生量をＶＯＰ毎にデコーダバッファにおけるバッファ占有量情報として常時監視し、このバッファ占有情報をもとにＥＳ符号化部１２の障害の有無を判定し、障害が発生した場合に、ＶＯＰ先頭を含むＴＳパケットの送出ＴＳに対する多重位置を再決定し、この多重位置でＴＳパケットを送出ＴＳに多重するようにＴＳ多重部１１を制御するようにしている。【選択図】      図１
2005109565.tif 000002
【特許請求の範囲】
【請求項１】
符号化部にてベースバンド映像信号を基準ブロック周期で特定パターングループを構成する放送用に規格化されたストリームパケットに固定ビットレートで圧縮符号化し、多重化部にて前記ストリームパケットを他の複数のストリームパケットと多重化し基準符号量の送出信号として送出するデジタル放送信号送出装置であって、
前記符号化部で生成される前記ストリームパケットの符号発生量をバッファ占有量情報として監視し、このバッファ占有量情報と前記基準符号量とを比較することで、誤差を検出する誤差検出手段と、
この誤差検出手段により誤差が検出された場合に、この誤差がなくなるように前記特定パターングループの先頭を含む前記ストリームパケットの前記送出信号に対する多重位置を再決定し、この多重位置で前記ストリームパケットを前記送出信号に多重するように前記多重化部を制御する制御手段とを具備したことを特徴とするデジタル放送信号送出装置。
【請求項２】
前記符号化部が、前記ベースバンド映像信号からＶＯＰ（Video Object Plane）を有したＭＰＥＧ４(Moving Picture Experts Group 4)規定の符号化データを生成し、しかる後にＭＰＥＧ２規定のＴＳ（Transport Stream）パケットを生成するとき、
前記制御手段は、前記誤差検出手段により誤差が検出された場合に、この誤差がなくなるように前記ＶＯＰ先頭を含む前記ＴＳパケットの前記送出信号に対する多重位置を再決定し、この多重位置で前記ＴＳパケットを前記送出信号に多重するように前記多重化部を制御することを特徴とする請求項１記載のデジタル放送信号送出装置。
【請求項３】
前記符号化部が、前記ベースバンド映像信号から前記ＶＯＰを有するＥＳ（Elementary Stream）を生成し、このＥＳから前記ＴＳパケットを生成するとき、
前記誤差検出手段は、前記符号化部で生成される前記ＥＳの符号発生量をバッファ占有量情報として監視することを特徴とする請求項２記載のデジタル放送信号送出装置。
【発明の詳細な説明】
【技術分野】
【０００１】
この発明は、例えばＭＰＥＧ４(Moving Picture Experts Group 4)の符号化規格によるＥＳを生成し、このＥＳからＭＰＥＧ２の符号化規格によるＴＳパケットを生成して送出するデジタル放送信号送出装置に関する。
【背景技術】
【０００２】
デジタル放送送出設備においては、ＭＰＥＧ４(Moving Picture Experts Group 4)符号化方式により符号化された映像ストリームの切り替え、同期化、多重化などの信号処理を施すスタジオ機器が必要不可欠である。
【０００３】
この映像ストリームは、ＭＰＥＧ４符号化方式におけるＶＯＰ（Video Object Plane）構造を成す。  
このスタジオ機器としてＥＳ符号化部では、固定ビットレートのＥＳ（Elementary Stream）を多重する場合に、一定時間に多重するＥＳの量をＥＳのビットレートから計算して決定していた（例えば特許文献１）。
【特許文献１】特願平１１−２７４６９５号。
【発明の開示】
【発明が解決しようとする課題】
【０００４】
しかしながら、ＥＳ符号化部に障害が発生した場合に、ＶＯＰ数は正しいもののＥＳ符号化部と多重処理部との間で管理している発生符号量に誤差が生じてくると、その時点で多重処理が停止する可能性があった。
【０００５】
そこで、この発明の目的は、符号化部における符号発生量と多重処理部における符号発生量との誤差により、多重処理部の動作を停止することなく、多重処理部で管理される符号発生量を符号化部で管理される符号量に近付けることが可能なデジタル放送信号送出装置を提供することにある。
【課題を解決するための手段】
【０００６】
この発明は、上記目的を達成するために、以下のように構成される。  
符号化部にてベースバンド映像信号を所定ブロック周期で特定パターングループを構成する規格化されたストリームパケットに固定ビットレートで圧縮符号化し、多重化部にてストリームパケットを他の複数のストリームパケットと多重化し基準符号量の送出信号として送出するデジタル放送信号送出装置であって、符号化部で生成されるストリームパケットの符号発生量をバッファ占有量情報として監視し、このバッファ占有量情報と基準符号量とを比較することで、誤差を検出する誤差検出手段と、この誤差検出手段により誤差が検出された場合に、この誤差がなくなるように特定パターングループの先頭を含むストリームパケットの送出信号に対する多重位置を再決定し、この多重位置でストリームパケットを送出信号に多重するように多重化部を制御する制御手段とを備えるようにしたものである。
【０００７】
この構成によれば、符号化部で生成されるストリームパケットの符号発生量をデコーダバッファにおけるバッファ占有量情報として常時監視し、このバッファ占有情報と多重化部から出力される送出信号の基準符号量とを比較することで、誤差の発生、つまり符号化部に障害が発生したか否かが判定され、誤差が発生した場合に、この誤差がなくなるように特定パターングループの先頭を含むストリームパケットの送出信号に対する多重位置が再決定される。従って、バッファ占有量情報と送出信号の基準符号量との誤差が発生するごとに、特定パターングループの先頭を含むストリームパケットの送出信号に対する多重位置が常に特定パターングループ毎に再決定され、この多重位置でストリームパケットが送出信号に多重されるので、多重化部における多重処理を停止させずに済む。
【発明の効果】
【０００８】
以上詳述したようにこの発明によれば、符号化部における符号発生量と多重処理部における符号発生量との誤差により、多重処理部の動作を停止することなく、多重処理部で管理される符号発生量を符号化部で管理される符号量に近付けることが可能なデジタル放送信号送出装置を提供することができる。
【発明を実施するための最良の形態】
【０００９】
以下、この発明の実施形態について図面を参照して詳細に説明する。  
図１は、この発明の一実施形態となるデジタル放送信号送出装置の構成を示すもので、１１はＴＳ多重部である。なお、ここでは説明を簡単にするため、ＴＳ多重部１１の入力チャンネル（系統）数を２チャンネルとし、各チャンネル入力は全てＴＳパケットであるものとする。
【００１０】
この実施形態では、ＴＳ多重部１１の第１入力チャンネルにＥＳ符号化部１２、ＰＥＳ化部１３及びＴＳパケット化部１４を設けている。ＥＳ符号化部１２は、ベースバンド映像信号をＥＳ（Elementary Stream）に符号化するもので、多重制御部１５からの要求に応じて発生符号量をＶＯＰ毎にバッファ占有情報として多重制御部１５に出力する。
【００１１】
ＰＥＳ化部１３は、ＥＳ符号化部１２から出力されるＥＳからＰＥＳ（Packetized Elementary Stream）を生成し、このＰＥＳをＴＳパケット化部１４に出力する。ＴＳパケット化部１４は、ＰＥＳからＴＳパケットを生成し、このＴＳパケットをＴＳ多重部１１に出力する。ＴＳ多重部１１は、入力されたＴＳパケットと第２入力チャンネルから入力されたＰＳＩ（Program Specific information）とを送出ＴＳに多重する。
【００１２】
多重制御部１５は、ＴＳ多重部１１を制御するもので、ＥＳ符号化部１２からＥＳの符号化単位であるＶＯＰ毎の発生符号量をバッファ占有情報として取込んでＴＳ多重部１１にて送出される送出ＴＳの符号量、つまりＥＳ符号化部１２との間で管理している基準符号量と比較し、これにより誤差があるか否かを判定する。そして、誤差があると判定された場合に、誤差がなくなるようにＶＯＰ先頭を含むＴＳパケットの送出ＴＳに対する多重位置を再決定し、この多重位置でＴＳパケットを送出ＴＳに多重するようにＴＳ多重部１１を制御する。
【００１３】
次に、上記構成における処理動作について説明する。  
図２（ａ）に示すように、ＥＳ符号化部１２で障害が発生し、符号量が１／３倍となった場合に、ＴＳ多重部１１ではＴの期間に一定量を多重するため、最初のＴ期間に３ＶＯＰ分多重してしまうことになる。このため、次のＴの期間において符号が存在しないので、その後どう多重すればいいか判断がつかず問題が発生する。
【００１４】
そこで、本実施形態では、多重制御部１５において、ＥＳ符号化部１２からＶＯＰ毎のバッファ占有量情報を受け取り、このバッファ占有量情報とＴＳ多重部１１にて送出される送出ＴＳの符号量と比較し、これにより誤差があるか否かを判定する。そして、誤差があると判定された場合に、図２（ｂ）に示すように、ＶＯＰに対して多重位置を計算し直して、ＴＳ多重部１１に対し多重制御を行う。この場合、２ＶＯＰ目のＴＳパケットを次のＴ期間に多重し、３ＶＯＰ目のＴＳパケットを次のＴ期間に多重するようにしている。このため、ＴＳ多重部１１の処理を停止させずに済む。
【００１５】
また、図３（ａ）に示すように、ＥＳ符号化部１２で障害が発生し、２ＶＯＰ目の符号量が４／３倍となった場合に、Ｔ期間に一定量を多重するため、３ＶＯＰ目以降の多重が遅れたままとなる。  
そこで、本実施形態では、多重制御部１５において、ＥＳ符号化部１２からＶＯＰ毎のバッファ占有量情報を受け取り、このバッファ占有量情報とＴＳ多重部１１にて送出される送出ＴＳの符号量と比較し、これにより誤差があるか否かを判定する。そして、誤差があると判定された場合に、図３（ｂ）に示すように、フレームに対して多重位置を計算し直して、ＴＳ多重部１１に対し多重制御を行う。この場合、３ＶＯＰ目のＴＳパケットを１ＴＳパケット分早めて多重する。すると、次のＶＯＰ先頭はすぐに多重可能となり、このため多重位置が４ＶＯＰ目で元に戻る。
【００１６】
以上のように上記実施形態では、多重制御部１５において、ＥＳ符号化部１２で生成されるＥＳの符号発生量をＶＯＰ毎にデコーダバッファにおけるバッファ占有量情報として常時監視し、このバッファ占有情報をもとにＥＳ符号化部１２の障害の有無を判定し、障害が発生した場合に、ＶＯＰ先頭を含むＴＳパケットの送出ＴＳに対する多重位置を再決定し、この多重位置でＴＳパケットを送出ＴＳに多重するようにＴＳ多重部１１を制御するようにしている。  
従って、ＥＳ符号化部１２に障害が発生するごとに、ＶＯＰ先頭を含むＴＳパケットの送出ＴＳに対する多重位置が常にＶＯＰ毎に再決定され、この多重位置でＴＳパケットが送出ＴＳに多重されるので、ＴＳ多重部１１における多重処理を停止させずに済む。
【００１７】
なお、この発明は上記実施形態に限定されるものではない。例えば上記実施形態では、ＭＰＥＧ４で規定されるＶＯＰ毎にＥＳの発生符号量を監視し、多重位置を再決定する例について説明した。しかし、これに限ることはなく、ＭＰＥＧ以外に、例えばＶＯＰのように基準ブロック周期で特定パターングループを構成する放送用に規格化されたストリームパケットを取り扱うようにしてもよい。
【００１８】
また、上記実施形態では、ＴＳ多重部１１に対し多重制御部１５を設けるようにしたが、多重制御部１５の機能をＴＳ多重部１１に持たせるようにしたもよい。  
その他、デジタル放送信号送出装置の構成、バッファ占有量情報の監視方法、ＴＳパケットの多重方法等についても、この発明の要旨を逸脱しない範囲で種々変形して実施できる。
【図面の簡単な説明】
【００１９】
【図１】この発明の一実施形態となるデジタル放送信号送出装置の構成を示すブロック図。
【図２】同実施形態において、送出すべくＴＳの符号量が減った場合の様子を説明するために示す図。
【図３】同実施形態において、送出すべくＴＳの符号量が増えた場合の様子を説明するために示す図。
【符号の説明】
【００２０】
１１…ＴＳ多重部、１２…ＥＳ符号化部、１３…ＰＥＳ化部、１４…ＴＳパケット化部、１５…多重制御部。
【図１】
2005109565.tif 000003
【図２】
2005109565.tif 000004
【図３】
2005109565.tif 000005